(57)【特許請求の範囲】
【請求項１】
訓練者の上半身に装着される装具と、
下端部が訓練者の左右の肩の位置においてそれぞれ前記装具と連結され上端部が訓練者の上方に設けられたハンガーと連結される２本の帯体と、を備え、
前記帯体は、訓練中においても所定の形状を維持できる剛性を持つ部材によって形成され、
前記所定の形状とは、前記帯体が訓練者の身体を保持した状態で、訓練者の頭部から側方に離れた向きに湾曲し、かつ、訓練者の頭部から後方に離れた向きに湾曲した形状である安全器具。
【発明の詳細な説明】
【技術分野】
【０００１】
本発明は安全器具に関し、特に、訓練者が受ける衝撃を緩和する安全器具に関する。
【背景技術】
【０００２】
病気やケガなどで歩行やバランスの確保が不自由な者が歩行訓練やバランス訓練などを行うための訓練装置が知られている。このような訓練装置は、訓練者が転倒等した場合であっても訓練者が受ける衝撃を緩和することができる安全器具を備えていることが望ましい。
【０００３】
特許文献１には、上端部が支持される上下方向に延びる吊下紐と、中央部が吊下紐の下端部に取り付けられ中央部から左右に伸びる２本のアームを有するハンガーと、訓練者の腰部から上方に延びる２本の帯がハンガーの２本のアームの先端部に吊り下げられる身体保持具と、を備えた安全器具が記載されている。
【先行技術文献】
【特許文献】
【０００４】
【特許文献１】実用新案登録第３１９４８５９号公報
【発明の概要】
【発明が解決しようとする課題】
【０００５】
しかしながら、特許文献１に記載の安全器具では、訓練者の顔の向きが左右に変化する場合に訓練者の体を保持する帯によって訓練者の視界が妨げられ、適切に訓練を行うことができない場合があった。
【０００６】
本発明は、以上の背景に鑑みなされたものであり、訓練中において訓練者の視界を妨げることなく訓練者の安全を確保することができる安全器具を提供することを目的とする。
【課題を解決するための手段】
【０００７】
本発明は、訓練者の上半身に装着される装具と、下端部が訓練者の左右の肩の位置においてそれぞれ前記装具と連結され上端部が訓練者の上方に設けられたハンガーと連結される２本の帯体と、を備え、前記帯体は、訓練中においても所定の形状を維持できる剛性を持つ部材によって形成され、前記所定の形状とは、前記帯体が訓練者の身体を保持した状態で、訓練者の頭部から側方に離れた向きに湾曲し、かつ、訓練者の頭部から後方に離れた向きに湾曲した形状である安全器具である。
【発明の効果】
【０００８】
本発明によれば、訓練中において訓練者の視界を妨げることなく訓練者の安全を確保することができる。
【図面の簡単な説明】
【０００９】
【図１】本実施の形態にかかる安全器具を用いた訓練装置の外観を示す図である。
【図２】本実施の形態にかかる安全器具の概略構成を示す図である。
【図３】本実施の形態にかかる安全器具におけるランヤードの概略構成を示す図である。
【図４】図３のＩＶ−ＩＶ線に沿う断面図である。
【図５Ａ】ランヤードが訓練者の身体を保持した状態におけるランヤードの所定の形状について説明する図である。
【図５Ｂ】ランヤードが訓練者の身体を保持した状態におけるランヤードの所定の形状について説明する図である。
【図６Ａ】本実施の形態にかかる安全器具においてハーネスとランヤードとの連結位置について説明する図である。
【図６Ｂ】本実施の形態にかかる安全器具においてハーネスとランヤードとの連結位置について説明する図である。
【図７】ランヤード連結部間の幅を訓練者の肩峰幅と実質的に等しくした場合における、訓練者の頭部とランヤードとのクリアランスについて計算した結果の一例を示す図である。
【図８】ランヤードの変形例の概略構成を示す図である。
【図９】図８のＩＸ−ＩＸ線に沿う断面図である。
【発明を実施するための形態】
【００１０】
以下、図面を参照して本発明の実施の形態について説明する。
【００１１】
まず、本実施の形態にかかる安全器具を用いた訓練装置の一例について説明する。
図１は、訓練装置１００の外観を示す図である。訓練装置１００は、バランスの確保が不自由な者に対してバランス訓練を行う装置である。図１に示すように、訓練装置１００は、移動体２００と、ディスプレイ１２０と、フレーム１０２と、巻き上げ機１０６と、ハンガー１１０と、安全器具１と、を備えている。
【００１２】
移動体２００は、訓練者Ｐを搭乗させ訓練者Ｐの操作によって倒立状態を維持しつつ移動する。ディスプレイ１２０は、訓練メニューに応じて訓練者Ｐに対し移動体２００を移動させる位置を指示する。フレーム１０２は、訓練装置１００の骨組みである。巻き上げ機１０６は、ハンガー１１０の高さ調整装置であり、フレーム１０２における訓練者Ｐの上方の位置に取り付けられている。巻き上げ機１０６には、例えば電動モータを有しており、一端にハンガー１１０が設けられた吊り上げワイヤー１０４を電動モータによって巻き上げることにより、ハンガー１１０の高さを調整する。ハンガー１１０は、左右にアーム部１１０ａを有し、このアーム部１１０ａの先端に、後述する安全器具１のランヤード３が取り付けられる。
【００１３】
訓練中、訓練者Ｐの身体は安全器具１によって保持されているので、訓練者Ｐが転倒等した場合であっても訓練者Ｐが受ける衝撃を緩和することができる。訓練者Ｐは、移動体２００に搭乗した状態で、ディスプレイ１２０に表示された画面を見ながら予め定められた訓練を行う。このため、安全器具１は、訓練中に訓練者Ｐの視界を妨げないように構成する必要がある。
【００１４】
図２は、本実施の形態にかかる安全器具１の概略構成を示す図である。なお、訓練者Ｐに安全器具１を装着した状態で、訓練者Ｐに対して、正面側を前方、背面側を後方、左側を左、右側を右、と定義する。図２に示すように、安全器具１は、装具としてのハーネス２と、２つの帯体としてのランヤード３と、を備えている。
【００１５】
ハーネス２は、訓練者Ｐの上半身に装着される。ハーネス２は、訓練者Ｐの腰に巻くベルト２ａと、訓練者Ｐにサスペンダー状に取り付けられる吊りバンド２ｂと、を備えている。また、ハーネス２は、ランヤード連結部２ｃにおいて後述するランヤード３と連結される。
【００１６】
ランヤード３の構成について以下で説明する。
図３は、ランヤード３の概略構成を示す図である。図３に示すように、ランヤード３には、上端部にハンガー１１０と連結するためのハンガー連結部３ａ、下端部にハーネス連結部３ｂが設けられている。ハンガー連結部３ａは、アーム部１１０ａの先端に引っ掛けることができるよう、リング状に形成されている。ハーネス２のランヤード連結部２ｃ（図２参照）とランヤード３のハーネス連結部３ｂは、例えば、一方をタングプレート、他方をバックルで構成してもよい。タングプレートおよびバックルは、シートベルトなどの連結部に用いられている一般的なものを用いることができる。なお、ランヤード連結部２ｃとハーネス連結部３ｂの構成は、タングプレートおよびバックルを用いた構成に限るものではなく、ハーネス２とランヤード３の連結および分離を容易に行うことができればどのように構成してもよい。ハーネス２とランヤード３との連結位置については後述する。
【００１７】
ランヤード３は、訓練中においても所定の形状を維持できる剛性を持つ部材によって形成される。図４は、図３のＩＶ−ＩＶ線に沿う断面図である。図３および図４に示すように、ランヤード３の表装３ｃには、短手方向の両端に袋とじスペース３ｄが形成されている。これらの袋とじスペース３ｄの内部にはそれぞれ金属などで形成された芯線３ｅが挿入されている。ランヤード３をねじれ難くするため、両端の袋とじスペース３ｄに挿入された芯線３ｅは一体構造をなすように端部で接続されている。これにより、ランヤード３は、訓練中に訓練者Ｐの身体を保持した状態においても所定の形状を維持できる。
【００１８】
ランヤード３が訓練者Ｐの身体を保持した状態におけるランヤード３の所定の形状について以下で説明する。
図５Ａおよび図５Ｂは、ランヤード３が訓練者Ｐの身体を保持した状態におけるランヤード３の所定の形状について説明する図である。図５Ａは訓練者Ｐを前方から見た図、図５Ｂは訓練者Ｐを右側方から見た図である。図５Ａに示すように、ランヤード３は、訓練者Ｐの頭部Ｈから側方に離れた向き（図中矢印Ａ，Ｂ）に湾曲している。さらに、図５Ｂに示すように、ランヤード３は、訓練者の頭部Ｈから後方に離れた向き（図中矢印Ｃ）に湾曲している。このようにランヤード３を形成することで、訓練中において訓練者Ｐの視界を妨げるおそれを低減することができる。
【００１９】
ハーネス２とランヤード３との連結位置について以下で説明する。
図６Ａおよび図６Ｂは、ハーネス２とランヤード３との連結位置について説明する図である。図６Ａおよび図６Ｂは、訓練者Ｐを前方から見た図である。図６Ａに示すように、ランヤード３が訓練者Ｐの頭部Ｈから側方に離れた向き（図中矢印Ａ，Ｂ）に湾曲していないと仮定する。訓練中においてランヤード３が訓練者の視界を妨げないようにするためには、少なくとも、ランヤード連結部間の幅Ｌ１を耳介間幅Ｌ２とランヤードの幅Ｌ３の２倍との和よりも広くする（ランヤード連結部間の幅Ｌ１＞耳介間隔Ｌ２＋ランヤードの幅Ｌ３×２）必要がある。つまり、訓練者Ｐの頭部とランヤード３とのクリアランスＬ５を一定以上確保する必要がある。
【００２０】
図６Ｂに示すように、左右の肩峰点（肩甲骨の肩峰の外側縁）間の直線距離を肩峰幅Ｌ４とする。ランヤード連結部間の幅Ｌ１を耳介間幅Ｌ２とランヤードの幅Ｌ３の２倍との和よりも広くするために、ランヤード連結部間の幅Ｌ１が訓練者Ｐの肩峰幅Ｌ４と実質的に等しくなる（Ｌ１≒Ｌ４）位置でハーネス２とランヤード３とを連結するのが好ましい。
【００２１】
図７は、ランヤード連結部間の幅Ｌ１を訓練者Ｐの肩峰幅Ｌ４と実質的に等しくした場合における、訓練者Ｐの頭部とランヤード３とのクリアランスＬ５（図６参照）について計算した結果の一例を示す図である。訓練者Ｐの頭部とランヤード３とのクリアランスＬ５は、｛ランヤード連結部間の幅Ｌ１−（耳介間隔Ｌ２＋ランヤードの幅Ｌ３×２）｝／２で計算できる。ランヤード３の幅は３５ｍｍとする。
【００２２】
なお、図７中の肩峰幅及び耳介間隔の数値は、産業技術総合研究所発行のデータベースである「ＡＩＳＴ人体寸法データベース１９９１−９２」による。“高齢者群女子”とは６０歳以上の女子５０名の被験者、“高齢者群男子”とは６０歳以上の男子５０名の被験者、“青年群女子”とは１８歳以上３０歳未満の女子２０４名の被験者、“青年群男子”とは１８歳以上３０歳未満の男子２１７名の被験者である。“パーセンタイル”とは、各被験者群において小さいほうから順番に並べたときに何パーセント目にあたるか、を示す用語である。つまり、パーセンタイル２．５とは各被験者群において小さいほうから２．５％目、パーセンタイル９７．５とは母集団において小さいほうから９７．５％目であることを意味する。
【００２３】
図７に示すように、訓練者Ｐの体格によらず、訓練者Ｐの頭部とランヤード３とのクリアランスＬ５は３５ｍｍ以上を確保できている。クリアランスＬ５が３５ｍｍ以上を確保できていれば、訓練中においてランヤード３が訓練者Ｐの視界を妨げるおそれは低いと考えられる。よって、ランヤード連結部間の幅Ｌ１が訓練者Ｐの肩峰幅Ｌ４と実質的に等しくなるような位置でハーネス２とランヤード３とを連結することで、ランヤード３の訓練者Ｐの頭部Ｈから側方に離れた向きへの湾曲が微小である場合（あるいは湾曲がない場合）でも訓練中において訓練者Ｐの視界を妨げるおそれを低減することができる。
【００２４】
以上より、本発明によれば、訓練中において訓練者の視界を妨げることなく訓練者の安全を確保することができる。
【００２５】
[変形例]
ランヤードの構造の変形例について以下で説明する。
図８は、ランヤード３０３の概略構成を示す図である。図９は、図８のＩＸ−ＩＸ線に沿う断面図である。図８および図９に示すように、ランヤード３０３には、ランヤード３（図３参照）と同様に、上端部にハンガー１１０（図１参照）と連結するためのハンガー連結部３ａ、他端にハーネス連結部３ｂが設けられている。また、ランヤード３０３の形状は、図５を用いて説明したランヤード３の形状と同じである。
【００２６】
ランヤード３０３は、訓練中においても所定の形状に維持されるよう、表装３０３ｃの内部に樹脂板３０３ｅが封入されている。樹脂板３０３ｅは、長手方向には剛性が低く、短手方向には剛性が高い形状とする。例えば、樹脂板３０３ｅの表面に短手方向に延在し長手方向に並ぶ複数のリブを設ける。このようにランヤード３０３を構成することで、ランヤード３が、長手方向には伸展しやすく、かつ、ねじれ難くなる。これにより、ランヤード３は、訓練中においても所定の形状を維持できる。
【００２７】
なお、本発明は上記実施の形態に限られたものではなく、趣旨を逸脱しない範囲で適宜変更することが可能である。
【符号の説明】
【００２８】
１  安全器具
２  ハーネス
３  ランヤード
１１０  ハンガー
Ｐ  訓練者
【図１】
0006459883.tif 000002
【図２】
0006459883.tif 000003
【図３】
0006459883.tif 000004
【図４】
0006459883.tif 000005
【図５Ａ】
0006459883.tif 000006
【図５Ｂ】
0006459883.tif 000007
【図６Ａ】
0006459883.tif 000008
【図６Ｂ】
0006459883.tif 000009
【図７】
0006459883.tif 000010
【図８】
0006459883.tif 000011
【図９】
0006459883.tif 000012